(57)【要約】【課題】部品点数を削減し、組み立て工数を低減できる空気清浄機を提供する。【解決手段】吸着ユニットおよび空気清浄機は、フィルタ、放熱板、ヒータ、駆動部を備える。フィルタは、円板状に形成されている。放熱板は、フィルタの一部に対向して配置される。ヒータは、放熱板を加熱することにより放熱板を介してフィルタの一部を加熱する。駆動部は、放熱板に対してフィルタを移動させる。放熱板は、放熱板に対するヒータの移動を規制するための規制部を備え、規制部は、放熱板の一部が切り起こされた切り起こし部を有する。【選択図】図９
2019166480.tif 000002
【特許請求の範囲】
【請求項１】
円板状に形成されたフィルタと、
前記フィルタの一部に対向して配置される放熱板と、
前記放熱板を加熱することにより前記放熱板を介して前記フィルタの一部を加熱するヒータと、
前記放熱板に対して前記フィルタを移動させる駆動部と、
前記ヒータの移動を規制する規制部と、を備え、
前記規制部は、前記放熱板の一部が切り起こされた切り起こし部を有する
ことを特徴とする吸着ユニット。
【請求項２】
前記ヒータおよび前記フィルタは、前記放熱板の一方の側面に対向して配置され、
前記切り起こし部は、前記ヒータと前記フィルタの間に配置されることで、前記フィルタ側への前記ヒータの移動を規制する
ことを特徴とする請求項１に記載の吸着ユニット。
【請求項３】
前記切り起こし部は、円板状に形成された前記フィルタの外周側に設けられている
ことを特徴とする請求項２に記載の吸着ユニット。
【請求項４】
前記放熱板は、前記切り起こし部が切り起こされることにより形成された抜き穴を有し、
前記切り起こし部は、前記抜き穴側の面が前記ヒータに当接する
ことを特徴とする請求項１〜３の何れか１項に記載の吸着ユニット。
【発明の詳細な説明】
【技術分野】
【０００１】
本発明は、吸着ユニットおよび空気清浄機に関する。
【背景技術】
【０００２】
従来、室内の空気を吸着ユニットが有する脱臭フィルタを通過させることにより、空気に含まれる臭気成分を脱臭フィルタに吸着させ、脱臭フィルタを加熱することにより、脱臭フィルタの脱臭能力を再生させる空気清浄機が知られている（例えば特許文献１参照）。このような空気清浄機の中には、脱臭フィルタが回転可能に設けられるとともに、脱臭フィルタの一部を放熱板によって加熱する加熱部を備えた、吸着ユニットを有しているものがある。この吸着ユニットは、脱臭フィルタに対向して配置される放熱板と、放熱板を介して脱臭フィルタを加熱するヒータとを有している。
【先行技術文献】
【特許文献】
【０００３】
【特許文献１】特開２０１６−４９４０２号公報
【発明の概要】
【発明が解決しようとする課題】
【０００４】
ところで、上述の空気清浄機では、ヒータをヒータケースに収容して放熱板に対してネジ等の部品を用いて固定することにより、ヒータを放熱板に対して位置決めしている。このため、部品点数が多くなり、組み立て工数が増大するという問題がある。
【０００５】
開示の技術は、上記に鑑みてなされたものであって、部品点数を削減し、組み立て工数を低減できる吸着ユニットおよび空気清浄機を提供することを目的とする。
【課題を解決するための手段】
【０００６】
本願の開示する空気清浄機の一態様の吸着ユニットおよび空気清浄機は、フィルタ、放熱板、ヒータ、駆動部を備える。フィルタは、円板状に形成されている。放熱板は、フィルタの一部に対向して配置される。ヒータは、放熱板を加熱することにより放熱板を介してフィルタの一部を加熱する。駆動部は、放熱板に対してフィルタを移動させる。放熱板は、放熱板に対するヒータの移動を規制する規制部を備え、規制部は、放熱板の一部が切り起こされた切り起こし部を有する。
【発明の効果】
【０００７】
本願の開示する吸着ユニットおよび空気清浄機の一態様によれば、部品点数を削減し、組み立て工数を削減することができる。
【図面の簡単な説明】
【０００８】
【図１】図１は、実施例１の空気清浄機の外観を示す斜視図である。
【図２】図２は、実施例１の空気清浄機を示す平面図である。
【図３】図３は、実施例１の空気清浄機を示すＡ−Ａ断面図である。
【図４】図４は、実施例１の空気清浄機を示すＢ−Ｂ断面図である。
【図５】図５は、実施例１の脱臭ユニットを背面側から見た斜視図である。
【図６】図６は、実施例１の脱臭ユニットのフィルタ再生部を示すＣ−Ｃ断面図である。
【図７Ａ】図７Ａは、実施例１の吸着ユニットのフィルタ再生部の構成概要を示す分解斜視図である。
【図７Ｂ】図７Ｂは、実施例１のフィルタ再生部の背面側ケース部材を内側から示す斜視図である。
【図７Ｃ】図７Ｃは、実施例１のフィルタ再生部の前面側ケース部材を内側から示す斜視図である。
【図８】図８は、実施例１の背面側放熱板を示す斜視図である。
【図９】図９は、実施例１のヒータおよび背面側放熱板が収容された状態の吸着ユニットの背面側ケース部材の要部を示す斜視図である。
【図１０】図１０は、実施例１のヒータおよび背面側放熱板が取り付けられた状態の吸着ユニットの背面側ケース部材の要部を示すＤ−Ｄ断面図である。
【図１１】図１１は、実施例２のヒータおよび背面側放熱板を含む吸着ユニットの要部の概略を示す平面図である。
【図１２】図１２は、実施例２のヒータおよび背面側放熱板を含む吸着ユニットの要部の概略を示す側面図である。
【図１３】図１３は、実施例３のヒータおよび背面側放熱板を含む吸着ユニットの要部の概略を示す平面図である。
【図１４】図１４は、実施例３のヒータおよび背面側放熱板を含む吸着ユニットの要部の概略を示す側面図である。
【図１５】図１５は、実施例４のヒータおよび背面側放熱板を含む吸着ユニットの要部の概略を示す平面図である。
【図１６】図１６は、実施例４のヒータおよび背面側放熱板を含む吸着ユニットの要部の概略を示す側面図である。
【発明を実施するための形態】
【０００９】
以下に、本願の開示する空気清浄機の実施例を図面に基づいて詳細に説明する。なお、以下の実施例によって、本願の開示する空気清浄機が限定されるものではない。
【００１０】
以下の実施例の説明では、空気清浄機の前面側から背面側へ向かう方向を正とするＸ軸、空気清浄機の前面に向かって左側から右側へ向かう方向を正とするＹ軸、空気清浄機の前面に向かって鉛直下方から上方へ向かう方向を正とするＺ軸を用いる。以下、空気清浄機の本体筐体の前面パネルが配置される側を「前面側」とし、本体筐体の背面パネルが配置される側を「背面側」とする。また、以下の実施例では、同一の構成については同一の符号を付与し、後出の説明を省略する場合がある。また、以下に示す実施例は、矛盾しない範囲で適宜組合せることができる。
【実施例１】
【００１１】
［空気清浄機の構成］
図１は、実施例１の空気清浄機の外観を示す斜視図である。実施例１の空気清浄機１は、図１に示すように、本体筐体１１を備えている。本体筐体１１は、合成樹脂材等により、略直方体状に形成されている。本体筐体１１は、前面パネル１１ａ、背面パネル１１ｂ、左側面パネル１１ｃ、右側面パネル１１ｄ、天面パネル１１ｅ、底面部１１ｆを備えている。底面部１１ｆは、本体筐体１１の下部を形成しており、空気清浄機１が設置される設置面に載置される。
【００１２】
前面パネル１１ａと背面パネル１１ｂは、図１に示すように、対向するように配置されることにより本体筐体１１の前後の面を形成し、左側面パネル１１ｃ、右側面パネル１１ｄ、天面パネル１１ｅ、底面部１１ｆに接合されている。前面パネル１１ａには、空気清浄機１が空気清浄対象の室内の空気を吸い込むための前面吸込口１１ａ１が形成されている。背面パネル１１ｂのＹ軸方向の両端部のそれぞれには、Ｚ軸方向に沿って、空気清浄機１が吸い込んだ空気を清浄した後の空気を吹き出すための左側面吹出口１１ｂ１と右側面吹出口１１ｂ２（図２および図４参照）とが形成されている。
【００１３】
左側面パネル１１ｃと右側面パネル１１ｄとは、対向するように配置されることにより本体筐体１１の側面を形成し、図１に示すように、前面パネル１１ａ、背面パネル１１ｂ、天面パネル１１ｅ、底面部１１ｆに接合されている。
【００１４】
天面パネル１１ｅは、本体筐体１１の上部を形成しており、前面パネル１１ａ、背面パネル１１ｂ、左側面パネル１１ｃ、右側面パネル１１ｄのそれぞれの上端に接合されている。天面パネル１１ｅには、空気清浄機１が吸い込んだ空気を清浄した後の空気を吹き出すための上面吹出口１１ｅ１が形成されている。
【００１５】
なお、空気清浄機１は、図示しない操作部をさらに備えている。操作部は、図示しないボタンおよび図示しない表示部を備えている。ボタンは、図示しない電源ボタンや図示しない運転モード切り換えボタン等を含み、空気清浄機１を操作するときに用いられる。表示部は、空気清浄機１の運転状態や塵埃センサ等の図示しない検出器の検出結果を表示する。
【００１６】
図２は、実施例１の空気清浄機を示す平面図である。背面パネル１１ｂは、図２に示すように、前面パネル１１ａが配置される前面の反対側の背面に配置されている。
【００１７】
空気清浄機１は、前面吸込口１１ａ１から本体筐体１１に吸い込んだ空気を、左側面吹出口１１ｂ１、右側面吹出口１１ｂ２、および上面吹出口１１ｅ１のそれぞれから吹き出すまでに、空気の除塵処理および脱臭処理を行う。
【００１８】
図３は、実施例の空気清浄機を示すＡ−Ａ断面図である。Ａ−Ａ線は、図１に示すとおりである。本体筐体１１は、図３に示すように、内部に通風路１０が形成されている。通風路１０は、前面吸込口１１ａ１を、左側面吹出口１１ｂ１と右側面吹出口１１ｂ２と上面吹出口１１ｅ１とに連通している。
【００１９】
空気清浄機１は、空気清浄機１に内蔵されるフロントシャーシとしてのホルダ部１００を備えている。空気清浄機１は、さらに、プレフィルタ２１、集塵ユニット２２、吸着ユニットとしての脱臭ユニット２３、および送風機２５を備えている。プレフィルタ２１、集塵部としての集塵ユニット２２、脱臭部としての脱臭ユニット２３、および送風機２５は、本体筐体１１の内部の通風路１０に配置されている。
【００２０】
ホルダ部１００は、前面吸込口１１ａ１から吸い込まれ集塵ユニット２２を通過した空気を脱臭ユニット２３の脱臭フィルタ２３ａを通過するように導くガイド部１００−１を備えている。ガイド部１００−１は、集塵ユニット２２を通過した空気を脱臭ユニット２３の脱臭フィルタ２３ａへ導く連通部１００−２を備えている。連通部１００−２は、通風路１０の一部を構成する。
【００２１】
プレフィルタ２１は、例えば、糸状のＰＥＴ（ポリエチレンテレフタラート）材が編み込まれた網目構造体として形成されている。プレフィルタ２１は、通風路１０の前面側に配置されている。プレフィルタ２１は、前面吸込口１１ａ１から本体筐体１１の内部の通風路１０に吸い込まれる空気に含まれる塵埃を捕集する。
【００２２】
集塵ユニット２２は、通風路１０のうちのプレフィルタ２１の背面側に配置されている。集塵ユニット２２は、ホルダ部１００により保持されている。集塵ユニット２２は、図示しない筐体、放電電極および集塵電極を備えた電気集塵機で構成されている。筐体の内部には、放電電極と集塵電極が支持されている。放電電極は、プレフィルタ２１で捕集されなかった細かな塵埃や花粉等をコロナ放電により帯電させる。集塵電極は、放電電極により帯電された塵埃や花粉等を捕集する。集塵ユニット２２は、放電電極と集塵電極と筐体とで形成された電気集塵機で構成されていることにより、例えば不織布をプリーツ形状に形成した他の集塵フィルタに比べて、空気抵抗が小さい。
【００２３】
脱臭ユニット２３は、通風路１０のうちのプレフィルタ２１の背面側に配置されている。脱臭ユニット２３は、ホルダ部１００により保持されている。脱臭ユニット２３は、脱臭フィルタ２３ａ、フィルタ再生部２３ｆを備えている。脱臭フィルタ２３ａは、板状に形成されているフィルタである。本実施例では、脱臭フィルタ２３ａは、円板状に形成されている。
【００２４】
送風機２５は、通風路１０のうちの脱臭ユニット２３の背面側に配置されている。送風機２５は、ターボファン２５ａおよびファンモータ２５ｂを備えている。ファンモータ２５ｂは、ターボファン２５ａを回転させる。ターボファン２５ａは、合成樹脂材によって形成されており、ファンモータ２５ｂの出力軸に接続されている。送風機２５は、前面吸込口１１ａ１から空気清浄機１の内部へ空気を取り込み、左側面吹出口１１ｂ１、右側面吹出口１１ｂ２、および上面吹出口１１ｅ１を介して、通風路１０を通過した空気を空気清浄機１の外部に放出する。
【００２５】
図４は、実施例の空気清浄機を示すＢ−Ｂ断面図である。Ｂ−Ｂ線は、図１に示すとおりである。プレフィルタ２１は、図４に示すように、中央が前面側に向かって凸となるアーチ形状に形成されている。このため、プレフィルタ２１は、プレフィルタ２１を平坦状に形成する場合と比べて、前面吸込口１１ａ１から、本体筐体１１の内部に吸い込まれた空気がプレフィルタ２１を通過する面積が大きい。これにより、プレフィルタ２１は、前面吸込口１１ａ１から、本体筐体１１の内部に吸い込まれた空気から、より多くの塵埃を捕集することができる。
【００２６】
［脱臭ユニットの構成］
図５は、実施例１の脱臭ユニットを背面側から見た斜視図である。図５は、ホルダ部１００に脱臭ユニット２３が取り付けられた状態を示す。脱臭ユニット２３は、円板状の脱臭フィルタ２３ａと、フィルタ再生部２３ｆとを備えている。また、脱臭フィルタ２３ａは、その外周に外周部フィルタカバー２３ａｃを備えている。
【００２７】
フィルタ再生部２３ｆは、脱臭フィルタ２３ａの円周方向における一部の両面を覆っている。脱臭フィルタ２３ａは、通過する空気から臭気成分を吸着し、後述するヒータ２３ｂによって加熱されることで、吸着された臭気成分を分解する。例えば、脱臭フィルタ２３ａは、図示しない基材と、基材に形成された触媒層とを有する。基材は、アルミニウム等の板材によって形成されており、ハニカム構造に例示される多孔構造に形成されている。触媒層は、触媒によって形成されており、基材の表面を被覆している。触媒は、触媒層の近傍を流れる空気から臭気成分を吸着し、加熱されることにより、吸着された臭気成分を分解する。脱臭フィルタ２３ａは、多孔構造に形成されていること、および、フィルタ再生部２３ｆが脱臭フィルタ２３ａの一部のみを覆い大部分を覆っていないことにより、空気抵抗が小さい。
【００２８】
外周部フィルタカバー２３ａｃは、概ね円環状に形成されており、脱臭フィルタ２３ａの外周部に沿って配置されている。外周部フィルタカバー２３ａｃは、脱臭フィルタ２３ａの外周縁部を覆って外周部の端面を保護している。内周部フィルタカバー２３ａｅは、概ね円環状に形成され、脱臭フィルタ２３ａの貫通孔２３ａａｏ（図６参照）の内部に配置されており、脱臭フィルタ２３ａａにおける内周縁部を覆って脱臭フィルタ２３ａａ（図６参照）の内周部の端面を保護している。内周部フィルタカバー２３ａｅ（図６参照）には、貫通孔２３ａｄが形成されている。
【００２９】
図５に示すように、脱臭ユニット２３は、フィルタ再生部２３ｆがホルダ部１００の取付部１０７に固定されることにより、ホルダ部１００の背面側に取り付けられる。ホルダ部１００には、脱臭フィルタ２３ａの外周部フィルタカバー２３ａｃの円周の外側のフィルタ再生部２３ｆと近接する位置に、脱臭ユニット２３を駆動するための図示しない駆動歯車が設けられた駆動部５３が取り付けられている。また、脱臭フィルタ２３ａは、外周部フィルタカバー２３ａｃの外周に形成された歯車部３４が、駆動部５３に設けられた図示しない駆動歯車に噛み合わされている。これにより、脱臭フィルタ２３ａは、駆動部５３による駆動歯車の回転が伝達されて、脱臭フィルタ２３ａの中心を回転軸として回転する。また、ホルダ部１００には、脱臭フィルタ２３ａのＸ方向への移動を規制する押さえ部１０８が設けられている。
【００３０】
また、脱臭ユニット２３は、外周部フィルタカバー２３ａｃがホルダ部１００の背面側の端部と接触しない状態を保持しつつ脱臭フィルタ２３ａが回転できるように、ホルダ部１００に対向するように取り付けられる。脱臭ユニット２３と、ホルダ部１００の背面側の端部とが接触しない状態が保持されつつ脱臭フィルタ２３ａが回転できるようにすることで、ホルダ部１００の背面側の端部と外周部フィルタカバー２３ａｃとが接触により摩耗することを防止できる。
【００３１】
［フィルタ再生部の構成］
図６は、実施例１の脱臭ユニットのフィルタ再生部を示すＣ−Ｃ断面図である。Ｃ−Ｃ線は、図５に示すとおりである。図７Ａは、実施例１の吸着ユニットのフィルタ再生部の構成概要を示す分解斜視図である。図７Ｂは、実施例１のフィルタ再生部の背面側ケース部材を内側から示す斜視図である。図７Ｃは、実施例１のフィルタ再生部の前面側ケース部材を内側から示す斜視図である。
【００３２】
フィルタ再生部２３ｆは、図６および図７に示すように、ケース２３ｅと、放熱板２３ｃと、ＰＴＣ（Positive  Temperature  Coefficient）ヒータ等のヒータ２３ｂとを有する。ケース２３ｅは、略三角柱形状の箱状に形成されている。ケース２３ｅは、脱臭フィルタ２３ａの周方向の一部を覆っている。ケース２３ｅは、組合わされる一対の、第１ケース部材としての前面側ケース部材２３ｅａと、第２ケース部材としての背面側ケース部材２３ｅｂとを有する。前面側ケース部材２３ｅａは、ケース２３ｅの前面側の部分を形成している。背面側ケース部材２３ｅｂは、ケース２３ｅの背面側の部分を形成している。前面側ケース部材２３ｅａと背面側ケース部材２３ｅｂで構成されたケース２３ｅの内部には空間（加熱空間）が形成される。
【００３３】
放熱板２３ｃは、対向して配置される一組の第１放熱板と第２放熱板としての一組の前面側放熱板２３ｃａと背面側放熱板２３ｃｂを有する。第１放熱板としての前面側放熱板２３ｃａは、ケース２３ｅの内部に支持されている。前面側放熱板２３ｃａは、脱臭フィルタ２３ａの周方向における一部に対向する。脱臭フィルタ２３ａは、前面側放熱板２３ｃａによって脱臭フィルタ２３ａの一部が前面側から覆われている。同様に、第２放熱板としての背面側放熱板２３ｃｂは、ケース２３ｅの内部に支持されている。背面側放熱板２３ｃｂは、脱臭フィルタ２３ａの周方向における一部に対向する。脱臭フィルタ２３ａは、背面側放熱板２３ｃｂによって脱臭フィルタ２３ａの一部が背面側から覆われている。
【００３４】
ヒータ２３ｂとしてのＰＴＣヒータは、通電されることにより発熱し、温度上昇に伴って抵抗値が増加する性質を有しており、この性質を利用して発熱量を自己制御する。ヒータ２３ｂは、直方体状に形成されており、ケース２３ｅの内部に設けられている。ヒータ２３ｂは、脱臭フィルタ２３ａの外周側に配置されており、前面側放熱板２３ｃａと背面側放熱板２３ｃｂとの間に挟まれて支持されている。そのため、ヒータ２３ｂから放出される熱を効率良く前面側放熱板２３ｃａおよび背面側放熱板２３ｃｂに伝えることができる。ヒータ２３ｂは、後述する前面側放熱板２３ｃａの切り起こし部２３ｃｇおよび背面側放熱板２３ｃｂの切り起こし部２３ｃｆに突き当てられる。また、ヒータ２３ｂは、背面側ケース部材２３ｅｂの第１支持部２３ｓ１の第１リブ２３ｓａの規制面２３ｓａｂに突き当てられる。これにより、ヒータ２３ｂはＺ軸方向の両側への移動が規制されている。
【００３５】
前面側放熱板２３ｃａおよび背面側放熱板２３ｃｂは、例えば、アルミニウム材またはアルミ合金材等の熱伝導性が良好な材料によって形成されている。前面側放熱板２３ｃａは、図７Ａに示すように、脱臭フィルタ２３ａの前面側に配置されている。前面側放熱板２３ｃａの外形は、脱臭フィルタ２３ａの貫通孔２３ａｄから脱臭フィルタ２３ａの外周側に向かうにつれて左右方向（脱臭フィルタ２３ａの周方向）に対する幅寸法が大きくなる略三角形状に形成されている。前面側放熱板２３ｃａは、フィルタ対向面２３ｃａａとカバー対向面２３ｃａｂを有する。フィルタ対向面２３ｃａａは、前面側放熱板２３ｃａの一方の面であり、カバー対向面２３ｃａｂは、前面側放熱板２３ｃａの他方の面である。前面側放熱板２３ｃａの内周側端部には、脱臭フィルタ２３ａの貫通孔２３ａｄと対応する貫通孔２３ｃａｇが形成されている。貫通孔２３ｃａｇには、後述する背面側ケース部材２３ｅｂの軸部２３ｘａが挿通される。
【００３６】
背面側放熱板２３ｃｂは、脱臭フィルタ２３ａの背面側に対向して配置されている。背面側放熱板２３ｃｂの外形は、脱臭フィルタ２３ａの貫通孔２３ａｄから外周側に向かうにつれて左右方向（脱臭フィルタ２３ａの周方向）に対する幅寸法が大きくなる略三角形状に形成されている。背面側放熱板２３ｃｂは、フィルタ対向面２３ｃｂａとカバー対向面２３ｃｂｂを有する。フィルタ対向面２３ｃｂａは、背面側放熱板２３ｃｂの一方の面であり、カバー対向面２３ｃｂｂは、フィルタ対向面２３ｃｂａの他方の面である。
【００３７】
背面側放熱板２３ｃｂのフィルタ対向面２３ｃｂａには、ヒータ２３ｂの移動を規制することで位置決めする規制部としての切り起こし部２３ｃｆが設けられている。切り起こし部２３ｃｆは、ヒータ２３ｂの外周面（Ｚ軸方向の一方側の外周面（脱臭フィルタ２３ａの内周側の外周面））に当たることで、Ｚ軸方向の一方側（脱臭フィルタ２３ａの内周側）に対するヒータ２３ｂの移動が規制されている。また、ヒータ２３ｂの熱は、切り起こし部２３ｃｆを介して背面側放熱板２３ｃｂへと効率良く伝達される。また、切り起こし部２３ｃｆが切り起こされることにより、背面側放熱板２３ｃｂには、抜き穴２３ｃｆ１が形成される。
【００３８】
また、背面側放熱板２３ｃｂと同様に、前面側放熱板２３ｃａのフィルタ対向面２３ｃａａにも、ヒータ２３ｂの移動を規制することで位置決めする規制部としての切り起こし部２３ｃｇ（図６参照）が設けられている。また、ヒータ２３ｂの熱は、切り起こし部２３２３ｃｇを介して前面側放熱板２３ｃａへと効率良く伝達される。また、切り起こし部２３ｃｇが切り起こされることにより、前面側放熱板２３ｃａには、抜き穴２３ｃｇ１が形成される。
【００３９】
切り起こし部２３ｃｆおよび切り起こし部２３ｃｇは、フィルタ再生部２３ｆが組み立てられて背面側ケース部材２３ｅｂと前面側ケース部材２３ｅａとが脱臭フィルタ２３ａを挟んで対向しているとき、脱臭フィルタ２３ａと対向せず干渉しない箇所に位置する。また、切り起こし部２３ｃｆおよび切り起こし部２３ｃｇは、円板状の脱臭フィルタ２３ａの外周部フィルタカバー２３ａｃの円周の外側に位置する。つまり、切り起こし部２３ｃｆおよび切り起こし部２３ｃｇは、円板状の脱臭フィルタ２３ａと、脱臭フィルタ２３ａの外周に配置されるヒータ２３との間に位置するように形成されている。
【００４０】
背面側放熱板２３ｃｂの内周側端部には、後述する背面側ケース部材２３ｅｂの軸部２３ｘａが挿通される貫通孔２３ｃｂｇが形成されている。
【００４１】
ヒータ２３ｂは、前面側放熱板２３ｃａのフィルタ対向面２３ｃａａおよび背面側放熱板２３ｃｂのフィルタ対向面２３ｃａａにおける脱臭フィルタ２３ａの外周側の側縁部に、前面側放熱板２３ｃａと背面側放熱板２３ｃｂとの間に挟まれて支持されている。前面側放熱板２３ｃａは、フィルタ対向面２３ｃａａが脱臭フィルタ２３ａに対向するように配置されている。背面側放熱板２３ｃｂは、フィルタ対向面２３ｃｃａが脱臭フィルタ２３ａに対向するように配置されている。なお、ヒータ２３ｂと、前面側放熱板２３ｃａおよび背面側放熱板２３ｃｂとの間には、熱伝導性を高めるために熱伝導グリース等が塗布されてもよい。
【００４２】
背面側ケース部材２３ｅｂは、合成樹脂材によって形成されている。背面側ケース部材２３ｅｂの外形は、背面側放熱板２３ｃｂの外形よりも一回り大きく形成されている。背面側ケース部材２３ｅｂの内側には、脱臭フィルタ２３ａを加熱するための加熱空間としての加熱空間部２３ｅｄが形成されている。背面側ケース部材２３ｅｂは、有底の箱状に形成されており、背面側ケース部材２３ｅｂは、底部２３ｅｄａと、背面側ケース部材２３ｅｂの外周に沿って形成された外周壁としての第１側部２３ｅｄｂ、第２側部２３ｅｄｃ、第３側部２３ｅｄｄおよび第４側部２３ｅｄｅと、を有する。底部２３ｅｄａは、略三角形の板状に形成されている。第１側部２３ｅｄｂ、第２側部２３ｅｄｃ、第３側部２３ｅｄｄおよび第４側部２３ｅｄｅは、それぞれ、底部２３ｅｄａの外周部から立ち上がって形成されている。第１側部２３ｅｄｂは、底部２３ｅｄａの外周部における、脱臭フィルタ２３ａの貫通孔２３ａｄ側に配置される部分に形成されている。第４側部２３ｅｄｅは、底部２３ｅｄａの外周部における、脱臭フィルタ２３ａの外周側に配置される部分に形成されている。第２側部２３ｅｄｃと第３側部２３ｅｄｄは、底部２３ｅｄａの外周部のＹ方向の両側の部分に形成されている。
【００４３】
背面側ケース部材２３ｅｂの底部２３ｅｄａには、背面側放熱板２３ｃｂの外周に沿って内周壁２３ｐｂが形成されている。内周壁２３ｐｂは、第１側部２３ｅｄｂ、第２側部２３ｅｄｃ、第３側部２３ｅｄｄに対して所定の間隔をあけて形成されており、内周壁２３ｐｂの両端が第４側部２３ｅｄｅに連結されている。背面側ケース部材２３ｅｂの底部２３ｅｄａには、脱臭フィルタ２３ａの貫通孔２３ａｄに挿通されて脱臭フィルタ２３ａを回転可能に支持する軸部２３ｘａが形成されている。軸部２３ｘａは、結合部材としてのネジ２３ｔ等がねじ込まれる貫通孔２３ｘａａを有する。また、背面側ケース部材２３ｅｂの底部２３ｅｄａのＹ方向における両側には、前面側ケース部材２３ｅａと背面側ケース部材２３ｅｂとを一体に固定する結合部材としてのネジ２３ｔ等がねじ込まれる貫通孔２３ｘｂａを有するボス２３ｘｂがそれぞれ形成されている。
【００４４】
背面側ケース部材２３ｅｂの底部２３ｅｄａには、２つの第１支持部２３ｓ１が形成されている。第１支持部２３ｓ１は、背面側放熱板２３ｃｂの外周部２３ｃｂｈと、背面側放熱板２３ｃｂに重ねられるヒータ２３ｂおよび前面側放熱板２３ｃａの外周部２３ｃｂｈをそれぞれ支持する。また、背面側ケース部材２３ｅｂの底部２３ｅｄａには、背面側放熱板２３ｃｂの外周部２３ｃｂｈを支持する第２支持部２３ｓ２がそれぞれ形成されている。
【００４５】
第１支持部２３ｓ１は、背面側ケース部材２３ｅｂのＹ軸方向における両側にそれぞれ配置されており、ボス２３ｘｂの近傍、例えばボス２３ｘｂに隣接して配置されている。第１支持部２３ｓ１は、第１方向として背面側放熱板２３ｃｂ（前面側放熱板２３ｃａ）のＺＹ面におけるＺ軸方向に対する背面側放熱板２３ｃｂ、前面側放熱板２３ｃａおよびヒータ２３ｂの移動を規制する第１リブ２３ｓａと、第１方向と直交する第２方向として背面側放熱板２３ｃｂ（前面側放熱板２３ｃａ）のＺＹ面におけるＹ軸方向に対する背面側放熱板２３ｃｂ、前面側放熱板２３ｃａおよびヒータ２３ｂの移動を規制する第２リブ２３ｓｂと、を有する。
【００４６】
第１リブ２３ｓａは、背面側ケース部材２３ｅｂの底部２３ｅｄａから突出して形成されており、背面側放熱板２３ｃｂと背面側ケース部材２３ｅｂの内面との間に空間をあけた状態で背面側放熱板２３ｃｂの外周部２３ｃｂｈを支持する。第１リブ２３ｓａは、ボス２３ｘｂの外周面に連結されている。第１リブ２３ｓａは、背面側放熱板２３ｃｂをＸ軸方向に対して支持する支持面２３ｓａａと、背面側放熱板２３ｃｂ、前面側放熱板２３ｃａおよびヒータ２３ｂのＺ軸方向の移動を規制する規制面２３ｓａｂと、を有する。第２リブ２３ｓｂは、背面側ケース部材２３ｅｂの底部２３ｅｄａから突出して、内周壁２３ｐｂと第２側部２３ｅｄｃ、または内周壁２３ｐｂと第３側部２３ｅｄｄとに跨って形成されており、内周壁２３ｐｂの機械的強度が補強されている。第２リブ２３ｓｂは、背面側放熱板２３ｃｂをＸ軸方向に対して支持する支持面２３ｓｂａと、背面側放熱板２３ｃｂ、前面側放熱板２３ｃａおよびヒータ２３ｂのＹ軸方向の移動を規制する規制面２３ｓｂｂと、を有する。
【００４７】
第２支持部２３ｓ２は、背面側ケース部材２３ｅｂのＺ軸方向における一端側（脱臭フィルタ２３ａの貫通孔２３ａｄ側）に、軸部２３ｘａに隣接して配置されている。第２支持部２３ｓ２は、背面側放熱板２３ｃｂ（前面側放熱板２３ｃａ）のＺＹ面におけるＺ軸方向に対する背面側放熱板２３ｃｂの移動を規制する第３リブ２３ｓｃと、背面側放熱板２３ｃｂ（前面側放熱板２３ｃａ）のＺＹ面におけるＹ軸方向に対する背面側放熱板２３ｃｂの移動を規制する第４リブ２３ｓｄと、を有する。
【００４８】
第３リブ２３ｓｃは、背面側放熱板２３ｃｂをＸ軸方向に対して支持する支持面２３ｓｃａと、Ｚ軸方向に対する背面側放熱板２３ｃｂの移動を規制する規制面２３ｓｃｂと、を有する。第４リブ２３ｓｄは、背面側放熱板２３ｃｂをＸ軸方向に対して支持する支持面２３ｓｄａと、Ｙ軸方向に対する背面側放熱板２３ｃｂの移動を規制する規制面２３ｓｄｂと、を有する。第３リブ２３ｓｃおよび第４リブ２３ｓｄは、背面側ケース部材２３ｅｂの底部２３ｅｄａから突出して形成されており、背面側ケース部材２３ｅｂの底部２３ｅｄａから突出して形成されており、背面側放熱板２３ｃｂと背面側ケース部材２３ｅｂの内面との間に空間をあけた状態で背面側放熱板２３ｃｂの外周部２３ｃｂｈを支持する。第３リブ２３ｓｃおよび第４リブ２３ｓｄは、内周壁２３ｐｂと第１側部２３ｅｄｂとに跨って形成されており、内周壁２３ｐｂの機械的強度が補強されている。
【００４９】
前面側ケース部材２３ｅａは、背面側ケース部材２３ｅｂと同様に、合成樹脂材によって形成されている。前面側ケース部材２３ｅａの外形は、前面側放熱板２３ｃａの外形よりも一回り大きく形成されている。前面側ケース部材２３ｅａの内側には、脱臭フィルタ２３ａを加熱するための加熱空間としての加熱空間部２３ｅｃが形成されている。前面側ケース部材２３ｅａは有底の箱状に形成されており、前面側ケース部材２３ｅａは、底部２３ｅｃａと、前面側ケース部材２３ｅａの外周に沿って形成された外周壁としての第１側部２３ｅｃｂ、第２側部２３ｅｃｃ、第３側部２３ｅｃｄおよび第４側部２３ｅｃｅと、を有する。底部２３ｅｃａは、略三角形の板状に形成されている。第１側部２３ｅｃｂ、第２側部２３ｅｃｃ、第３側部２３ｅｃｄおよび第４側部２３ｅｃｅは、それぞれ、底部２３ｅｃａの外周部から立ち上がって形成されている。第１側部２３ｅｃｂは、底部２３ｅｃａの外周部における、脱臭フィルタ２３ａの貫通孔２３ａｄ側に配置される部分に形成されている。第４側部２３ｅｃｅは、底部２３ｅｃａの外周部における、脱臭フィルタ２３ａの外周側に配置される部分に形成されている。第２側部２３ｅｃｃと第３側部２３ｅｃｄは、底部２３ｅｃａの外周部のＹ方向の両側の部分に形成されている。底部２３ｅｃａと第１側部２３ｅｃｂ、第２側部２３ｅｃｃ、第３側部２３ｅｃｄおよび第４側部２３ｅｃｅとで囲まれた空間が前面側内部空間となる。
【００５０】
前面側ケース部材２３ｅａの底部２３ｅｃａには、前面側放熱板２３ｃａの外周に沿って内周壁２３ｐａが形成されている。内周壁２３ｐａは、第１側部２３ｅｃｂ、第２側部２３ｅｃｃ、第３側部２３ｅｃｄに対して所定の間隔をあけて形成されており、内周壁２３ｐａの両端が第４側部２３ｅｃｅに連結されている。前面側ケース部材２３ｅａの底部２３ｅｃａには、脱臭フィルタ２３ａの貫通孔２３ａｄに対向する位置に軸座部２３ｘｃが形成されている。軸座部２３ｘｃには、背面側ケース部材２３ｅｂの軸部２３ｘａの先端が突き当てられる。軸座部２３ｘｃはネジ２３ｔがねじ込まれる貫通孔２３ｘｃａを有する。また、前面側ケース部材２３ｅａの底部２３ｅｃａのＹ方向における両側で、かつ、第４側部２３ｅｃｅと隣接する位置には、背面側ケース部材２３ｅｂのボス２３ｘｂの先端が突き当てられるボス座部２３ｘｄが形成されている。ボス座部２３ｘｄはネジ２３ｔがねじ込まれる貫通孔２３ｘｄａを有する。
【００５１】
また、前面側ケース部材２３ｅａの底部２３ｅｃａには、ボス座部２３ｘｄと隣接するように、第１リブ２３ｓｅおよび第２リブ２３ｓｆが形成されている。第１リブ２３ｓｅおよび第２リブ２３ｓｆは、背面側ケース部材２３ｅｂの第１支持部２３ｓ１の第１リブ２３ｓａおよび第２リブ２３ｓｂがそれぞれ突き当てられる。また、前面側ケース部材２３ｅａの第１リブ２３ｓｅおよび第２リブ２３ｓｆは、前面側放熱板２３ｃａに接することで、前面側放熱板２３ｃａ、ヒータ２３ｂおよび背面側放熱板２３ｃｂのＸ方向に対する移動を規制する。第１リブ２３ｓｅおよび第２リブ２３ｓｆは、前面側ケース部材２３ｅａの底部２３ｅｃａから突出して形成されており、前面側放熱板２３ｃａと前面側ケース部材２３ｅａの内面との間に空間をあけた状態で前面側放熱板２３ｃａの外周部２３ｃａｈを支持する。
【００５２】
前面側ケース部材２３ｅａの底部２３ｅｃａには、前面側放熱板２３ｃａの外周部２３ｃａｈを支持する支持部２３ｓ３が形成されている。支持部２３ｓ３は、前面側ケース部材２３ｅａのＺ方向における一端側（脱臭フィルタ２３ａの貫通孔２３ａｄ側）に、軸座部２３ｘｃに隣接して配置されている。支持部２３ｓ３は、前面側放熱板２３ｃａのＺＹ面内方向におけるＺ方向に対する前面側放熱板２３ｃａの移動を規制する第３リブ２３ｓｇと、前面側放熱板２３ｃａのＺＹ面内方向におけるＹ方向に対する前面側放熱板２３ｃａの移動を規制する第４リブ２３ｓｈと、を有する。
【００５３】
第３リブ２３ｓｇは、前面側放熱板２３ｃａをＸ方向に対して支持する支持面２３ｓｇａと、Ｚ方向に対する前面側放熱板２３ｃａの移動を規制する規制面２３ｓｇｂと、を有する。第４リブ２３ｓｈは、前面側放熱板２３ｃａをＸ方向に対して支持する支持面２３ｓｈａと、Ｙ方向に対する前面側放熱板２３ｃａの移動を規制する規制面２３ｓｈｂと、を有する。第３リブ２３ｓｇおよび第４リブ２３ｓｈは、前面側ケース部材２３ｅａの底部２３ｅｃａから突出して形成されており、前面側放熱板２３ｃａと前面側ケース部材２３ｅａの内面との間に空間をあけた状態で前面側放熱板２３ｃａの外周部２３ｃａｈを支持する。第３リブ２３ｓｇおよび第４リブ２３ｓｈは、内周壁２３ｐａと第１側部２３ｅｃｂとに跨って形成されており、内周壁２３ｐａの機械的強度が補強されている。
【００５４】
前面側ケース部材２３ｅａと背面側ケース部材２３ｅｂとが組み合わされることで、ヒータ２３ｂ、前面側放熱板２３ｃａおよび背面側放熱板２３ｃｂ、脱臭フィルタ２３ａの一部が内部に収容されるケース２３ｅが構成される。脱臭フィルタ２３ａの貫通孔２３ａｄには、背面側ケース部材２３ｅｂの軸部２３ｘａが挿通されることで、脱臭フィルタ２３ａが軸部２３ｘａに回転可能に支持されている。また、図８および図９に示すように、軸部２３ｘａは、円筒状のシャフト部材２３ｘｅ内へ通されており、脱臭フィルタ２３ａの貫通孔２３ａｄに通されたシャフト部材２３ｘｅを介して、脱臭フィルタ２３ａを支持している。
【００５５】
［放熱板の構成］
図８は、実施例１の背面側放熱板を示す斜視図である。図９は、実施例１のヒータおよび背面側放熱板が収容された状態の吸着ユニットの背面側ケース部材の要部を示す斜視図である。図１０は、実施例１のヒータおよび背面側放熱板が取り付けられた状態の吸着ユニットの背面側ケース部材の要部を示すＤ−Ｄ断面図である。Ｄ−Ｄ線は、図９に示すとおりである。なお、図８では、背面側放熱板２３ｃｂについて説明するが、前面側放熱板２３ｃａも同様である。また、図９および図１０では、ヒータ２３ｂおよび背面側放熱板２３ｃｂが収容された背面側ケース部材２３ｅｂについて説明するが、前面側ケース部材２３ｅａも同様である。
【００５６】
背面側放熱板２３ｃｂは、２つの切り起こし部２３ｃｆ、２つの切り起こし部２３ｃｆにそれぞれ対応する抜き穴２３ｃｆ１、ヒータ配置面２３ｃｂ１を備えている。切り起こし部２３ｃｆは、背面側放熱板２３ｃｂに形成されたＵ字状の切り込み部分（スリット）の両端を結ぶＹ軸と平行な背面側放熱板２３ｃｂ上の線分を切り曲げの軸として、Ｕ字状の切り込み部分により形成された切り残し部分を背面側放熱板２３ｃｂに対して略垂直になるように、Ｘ軸の負方向へ折り曲げたものである。本実施例では、Ｕ字状の切り込み部分は、Ｚ軸の負方向を上側としＺ軸の正方向を下側とするＵ字状となるように、背面側放熱板２３ｃｂ上に形成されたものである。
【００５７】
抜き穴２３ｃｆ１は、切り起こし部２３ｃｆが切り起こされることにより背面側放熱板２３ｃｂに形成される。ヒータ配置面２３ｃｂ１は、背面側放熱板２３ｃｂにおける、図８に示す破線よりもＺ軸の正方向側の領域である。
【００５８】
背面側ケース部材２３ｅｂには、Ｘ軸の正方向の底部に背面側放熱板２３ｃｂが収容され、背面側放熱板２３ｃｂのヒータ配置面２３ｃｂ１にヒータ２３ｂが配置される。ヒータ２３ｂは、ヒータ２３ｂの長手方向がＹ軸と平行になるように、ヒータ配置面２３ｃｂ１に配置される。図１０に示すように、切り起こし部２３ｃｆのＸ軸方向の高さＨ１は、ヒータ２３ｂのＸ軸方向の高さＨ０と比較して、Ｈ１＜Ｈ０の関係を満たす所定の高さである。切り起こし部２３ｃｆの高さＨ１は、フィルタ再生部２３ｆが組み立てられて背面側放熱板２３ｃｂと前面側放熱板２３ｃａとが対向しているとき、前面側ケース部材２３ｅａに収容された前面側放熱板２３ｃａが有する切り起こし部２３ｃｆと同様の切り起こし部（不図示）と干渉しない高さである。
【００５９】
図１０に示すように、切り起こし部２３ｃｆが切り起こされることにより形成された抜き穴２３ｃｆ１は、切り起こし部２３ｃｆよりもヒータ配置面２３ｃｂ１側に形成されている。そして、切り起こし部２３ｃｆは、抜き穴２３ｃｆ１側の面がヒータ２３ｂに当接している。よって、ヒータ２３ｂは、切り起こし部２３ｃｆ，２３ｃｇを折り曲げるようにして切り起こした際にできる曲面の根元に乗り上げることなく、前面側放熱板２３ｃａおよび背面側放熱板２３ｃｂと当接する。よって、ヒータ２３ｂは、その側面が切り起こし部２３ｃｆおよびヒータ配置面２３ｃｂ１の双方とより広い面で接触するようにヒータ配置面２３ｃｂ１に配置されることになる。また、放熱板２３ｃａ、２３ｃｂの一部を切り起こして形成された切り起こし部２３ｃｆ，２３ｃｇは、時間の経過とともに元の平板状に戻ろうとする。つまり切り起こし部２３ｃｆ，２３ｃｇは、その先端がＺ軸の正方向側を向くように変形しようとするので、ヒータ２３ｂと密着した状態が保たれる。よって、ヒータ２３ｂを強固に固定することができる。また、切り起こし部２３ｃｆ，２３ｃｇとヒータ２３ｂとの接触状態が保たれることで、加熱効率の低下を防止できる。
【００６０】
以上の実施例１では、脱臭ユニット２３は、円板状に形成される脱臭フィルタ２３ａと、脱臭フィルタ２３ａの一部に対向して配置される前面側放熱板２３ｃａおよび背面側放熱板２３ｃｂと、前面側放熱板２３ｃａおよび背面側放熱板２３ｃｂを加熱することにより前面側放熱板２３ｃａおよび背面側放熱板２３ｃｂを介して脱臭フィルタ２３ａの一部を加熱するヒータ２３ｂと、前面側放熱板２３ｃａおよび背面側放熱板２３ｃｂに対して脱臭フィルタ２３ａを移動させる駆動部５３とを備える。そして、前面側放熱板２３ｃａおよび背面側放熱板２３ｃｂは、前面側放熱板２３ｃａおよび背面側放熱板２３ｃｂに対するヒータ２３ｂの移動を規制する規制部を備える。規制部は、前面側放熱板２３ｃａおよび背面側放熱板２３ｃｂの一部が切り起こされて形成された切り起こし部２３ｃｆ，２３ｃｇを有する。
【００６１】
これにより、実施例１によれば、前面側放熱板２３ｃａおよび背面側放熱板２３ｃｂが、ヒータ２３ｂの側面と接触する切り起こし部２３ｃｆ，２３ｃｇを有することにより、前面側放熱板２３ｃａおよび背面側放熱板２３ｃｂに対するヒータ２３ｂの位置決めと、ヒータ２３ｂから前面側放熱板２３ｃａおよび背面側放熱板２３ｃｂへの伝熱効率の向上とを両立させることができる。また、前面側放熱板２３ｃａおよび背面側放熱板２３ｃｂに対するヒータ２３ｂの移動を規制して位置決めするための別部品を要しないので、脱臭ユニット２３の部品点数を削減し、空気清浄機１の組み立て工数を削減することができる。
【００６２】
また、以上の実施例１では、脱臭フィルタ２３ａの各面に対向して配置される前面側放熱板２３ｃａおよび背面側放熱板２３ｃｂとを有し、ヒータ２３ｂは、前面側放熱板２３ｃａおよび背面側放熱板２３ｃｂの間に配置されている。これにより、脱臭フィルタ２３ａとヒータ２３ｂが放熱板の同じ面側に配置されるので、ヒータ２３ｂから脱臭フィルタ２３ａへの伝熱量が増加する。よって、脱臭フィルタ２３ａの加熱効率が向上する。
【００６３】
また、以上の実施例１では、切り起こし部２３ｃｆ，２３ｃｇは、脱臭フィルタ２３ａの側面と対向しない位置に設けられている。これにより、実施例１によれば、切り起こし部２３ｃｆ，２３ｃｇが脱臭フィルタ２３ａと接触することを防止する。さらに、前面側放熱板２３ｃａおよび背面側放熱板２３ｃｂと、脱臭フィルタ２３ａとの距離を、切り起こし部２３ｃｆ，２３ｃｇのＸ軸方向の高さＨ１の分だけ離す必要がなくなるので、放熱板２３ｃａ，２３ｃｂと脱臭フィルタ２３ａとの距離が離れることによる加熱効率の低下を防止できる。
【００６４】
また、以上の実施例１では、脱臭フィルタ２３ａは、円板状に形成され、駆動部５３により円板状の中心を軸に回転可能に支持されており、切り起こし部２３ｃｆ，２３ｃｇは、脱臭フィルタ２３ａの円板状の外周側に設けられている。これにより、実施例１によれば、脱臭フィルタ２３ａのフィルタ面と平行な面におけるヒータ２３ｂと脱臭フィルタ２３ａとの距離が離れることを抑制しつつ、ヒータ２３ｂと脱臭フィルタ２３ａとが接触することを防止できる。
【００６５】
また、以上の実施例１では、切り起こし部２３ｃｆ，２３ｃｇが切り起こされることにより形成された抜き穴２３ｃｆ１，２３ｃｇ１は、切り起こし部２３ｃｆ，２３ｃｇよりもヒータ配置面２３ｃａ１，２３ｃｂ１側に形成されている。そして、切り起こし部２３ｃｆ，２３ｃｇは、抜き穴２３ｃｆ１，２３ｃｇ１側の面がヒータ２３ｂに当接している。これにより、実施例１によれば、ヒータ２３ｂは、切り起こし部２３ｃｆ，２３ｃｇを折り曲げるようにして切り起こした際にできた曲面の根元に乗り上げることなく、前面側放熱板２３ｃａおよび背面側放熱板２３ｃｂと当接する。よって、ヒータ２３ｂと前面側放熱板２３ｃａおよび背面側放熱板２３ｃｂとの間に隙間が生じることを回避できるので、脱臭フィルタ２３ａの加熱効率の低下を防止できる。また、ヒータ２３ｂと切り起こし部２３ｃｆ，２３ｃｇとの間に隙間が生じずこれらを密着させて、ヒータ２３ｂを前面側放熱板２３ｃａおよび背面側放熱板２３ｃｂにより強固に固定することができるので、前面側放熱板２３ｃａおよび背面側放熱板２３ｃｂに対するヒータ２３ｂの移動をより確実に規制できる。
【００６６】
［実施例１の変形例］
（１）切り起こし部の数について
実施例１では、前面側放熱板２３ｃａに設けられる切り起こし部２３ｃｇ、背面側放熱板２３ｃｂに設けられる切り起こし部２３ｃｆの数は、それぞれ２つであるとした。しかし、これに限られるものではなく、切り起こし部２３ｃｇ，２３ｃｆは、前面側放熱板２３ｃａおよび背面側放熱板２３ｃｂに対するヒータ２３ｂの移動を規制することができる適切な数に適宜変更可能である。例えば、切り起こし部２３ｃｇ，２３ｃｆは、前面側放熱板２３ｃａと背面側放熱板２３ｃｂがヒータ２３ｂを挟んで対向したときに、ヒータ２３ｂを挟んで斜向いとなるように、前面側放熱板２３ｃａと背面側放熱板２３ｃｂとのそれぞれに１つずつ設けられてもよい。
【００６７】
（２）切り起こし部が設けられる放熱板について
実施例１では、前面側放熱板２３ｃａと背面側放熱板２３ｃｂとのそれぞれに、切り起こし部２３ｃｆ，２３ｃｇが設けられるとした。しかし、これに限られず、前面側放熱板２３ｃａおよび背面側放熱板２３ｃｂの何れか一方にのみ切り起こし部が設けられてもよい。
【００６８】
以上の実施例１では、切り起こし部２３ｃｆを形成するためのＵ字状の切り込み部分は、Ｚ軸の負方向を上側としＺ軸の正方向を下側とするＵ字状となるように背面側放熱板２３ｃｂ上に形成されたものである。しかし、これに限られず、切り起こし部は、種々の形態で実施されてもよい。以下、切り起こし部の種々の形態の例として、実施例２〜４を説明する。
【００６９】
なお、以下の実施例２〜４にかかる図１１〜図１６では、ヒータ、背面側放熱板、脱臭フィルタ以外の図示は省略している。また、図１１〜図１６では、脱臭フィルタの外周に位置する外周部フィルタカバーの図示も省略している。図１１〜図１６では、背面側放熱板についてのみ説明するが、前面側放熱板も同様である。
【実施例２】
【００７０】
実施例２では、切り起こし部を形成するためのＵ字状の切り込み部分が、Ｚ軸の正方向を上側としＺ軸の負方向を下側とするＵ字状となるように背面側放熱板上に形成されたものである。図１１は、実施例２のヒータおよび背面側放熱板を含む吸着ユニットの要部の概略を示す平面図である。図１２は、実施例２のヒータおよび背面側放熱板を含む吸着ユニットの要部の概略を示す側面図である。
【００７１】
実施例２の吸着ユニット２３Ａのフィルタ再生部２３ｆＡが備える背面側放熱板２３ｃｂＡは、２つの切り起こし部２３ｃｆＡ、２つの切り起こし部２３ｃｆＡそれぞれに対応する２つの抜き穴２３ｃｆＡ１を有する。背面側放熱板２３ｃｂＡのＸ軸の負方向側の所定のヒータ配置面には、ヒータ２３ｂがＹ軸と平行に配置されている。切り起こし部２３ｃｆＡは、フィルタ再生部２３ｆＡが組み立てられて背面側放熱板２３ｃｂＡと前面側放熱板（不図示）と脱臭フィルタ２３ａを挟んで対向しているとき、脱臭フィルタ２３ａの外周部フィルタカバー２３ａｃの円周の外側であって、脱臭フィルタ２３ａと干渉しない箇所に位置する。
【００７２】
切り起こし部２３ｃｆＡは、背面側放熱板２３ｃｂＡに形成されたＵ字状の切り込み部分（スリット）の両端を結ぶＹ軸と平行な背面側放熱板２３ｃｂＡ上の線分を切り曲げの軸として、Ｕ字状の切り込み部分により形成された切り残し部分を、背面側放熱板２３ｃｂＡに対して略垂直になるように、Ｘ軸の負方向へ折り曲げたものである。このＵ字状の切り込み部分は、Ｚ軸の負方向を上側とし、Ｚ軸の正方向を下側とするＵ字状となるように背面側放熱板２３ｃｂＡ上に形成されたものである。
【００７３】
以上の実施例２では、切り起こし部２３ｃｆＡは、背面側放熱板２３ｃｂＡのヒータ２３ｂが配置される位置に対する同一側へ切り起こして曲げられる。これにより、実施例２によれば、ヒータ２３ｂは、切り起こし部２３ｃｆＡに対応する抜き穴２３ｃｆＡ１を回避して背面側放熱板２３ｃｂＡに配置されることから、ヒータ２３ｂと背面側放熱板２３ｃｂＡとの接触面積を確保することができ、ヒータ２３ｂから背面側放熱板２３ｃｂＡへの伝熱効率の低下を防止できる。
【実施例３】
【００７４】
実施例３では、切り起こし部を形成するためのＵ字状の切り込み部分がＺ軸の負方向を上側としＺ軸の正方向を下側とするＵ字状となるように背面側放熱板上に形成されている実施例１、および、Ｚ軸の正方向を上側としＺ軸の負方向を下側とするＵ字状となるように背面側放熱板上に形成されている実施例２とは異なり、２つのＵ字状の切り込み部分のうちの一方がＹ軸の正方向を上側としＹ軸の負方向を下側とするＵ字状となるように背面側放熱板上に形成され、他方がＹ軸の負方向を上側としＹ軸の正方向を下側とするＵ字状となるように背面側放熱板上に形成されている。図１３は、実施例３のヒータおよび背面側放熱板を含む吸着ユニットの要部の概略を示す平面図である。図１４は、実施例３のヒータおよび背面側放熱板を含む吸着ユニットの要部の概略を示す側面図である。
【００７５】
実施例３の吸着ユニット２３Ｂのフィルタ再生部２３ｆＢが備える背面側放熱板２３ｃｂＢは、切り起こし部２３ｃｆＢ−１，２３ｃｆＢ−２、切り起こし部２３ｃｆＢ−１，２３ｃｆＢ−２それぞれに対応する抜き穴２３ｃｆＢ１−１，２３ｃｆＢ１−２を有する。背面側放熱板２３ｃｂＢのＸ軸の負方向側の所定のヒータ配置面には、ヒータ２３ｂがＹ軸と平行に配置されている。切り起こし部２３ｃｆＢ−１，２３ｃｆＢ−２は、フィルタ再生部２３ｆＢが組み立てられて背面側放熱板２３ｃｂＢと前面側放熱板（不図示）とが脱臭フィルタ２３ａを挟んで対向しているとき、脱臭フィルタ２３ａの外周部フィルタカバー２３ａｃの円周の外側であって、脱臭フィルタ２３ａと干渉しない箇所に位置する。
【００７６】
切り起こし部２３ｃｆＢ−１は、背面側放熱板２３ｃｂＢに形成されたＵ字状の切り込み部分（スリット）の両端を結ぶＺ軸と平行な背面側放熱板２３ｃｂＢ上の線分を切り曲げの軸として、Ｕ字状の切り込み部分により形成された切り残し部分を、背面側放熱板２３ｃｂＢに対して略垂直になるように、Ｘ軸の負方向へ折り曲げたものである。このＵ字状の切り込み部分は、Ｙ軸の正方向を上側としＹ軸の負方向を下側とするＵ字状となるように背面側放熱板２３ｃｂＢ上に形成されたものである。
【００７７】
また、切り起こし部２３ｃｆＢ−２は、背面側放熱板２３ｃｂＢに形成されたＵ字状の切り込み部分（スリット）の両端を結ぶＺ軸と平行な背面側放熱板２３ｃｂＢ上の線分を切り曲げの軸として、Ｕ字状の切り込み部分により形成された切り残し部分を、背面側放熱板２３ｃｂＢに対して略垂直になるように、Ｘ軸の負方向へ折り曲げたものである。このＵ字状の切り込み部分は、Ｙ軸の負方向を上側としＹ軸の正方向を下側とするＵ字状となるように背面側放熱板２３ｃｂＢ上に形成されたものである。
【００７８】
以上の実施例３では、切り起こし部２３ｃｆＢ−１，２３ｃｆＢ−２は、背面側放熱板２３ｃｂＢのヒータ２３ｂが配置される位置に対して垂直方向側へ切り起こして曲げられる。これにより、実施例３によれば、ヒータ２３ｂは、切り起こし部２３ｃｆＢ−１，２３ｃｆＢ−２にそれぞれ対応する抜き穴２３ｃｆＢ１−１，２３ｃｆＢ１−２を回避して背面側放熱板２３ｃｂＢに配置されることから、ヒータ２３ｂと背面側放熱板２３ｃｂＢとの接触面積を確保することができる。また、実施例３によれば、ヒータ２３ｂは、切り起こし部２３ｃｆＢ−１，２３ｃｇＢ−２を切り起こした際にできる曲面の根元に乗り上げることを回避して背面側放熱板２３ｃｂＢに配置されるので、ヒータ２３ｂと背面側放熱板２３ｃｂＢとの間に隙間が生じることを回避できる。よって、ヒータ２３ｂから背面側放熱板２３ｃｂＢへの伝熱効率の低下を防止し、脱臭フィルタ２３ａの加熱効率の低下を防止できる。
【実施例４】
【００７９】
実施例１〜３では、ヒータ２３ｂは、ヒータ２３ｂの長手方向がＹ軸と平行になるように、背面側放熱板に配置されるとした。しかし、ヒータ２３ｂは、ヒータ２３ｂの長手方向がＺ軸と平行になるように、背面側放熱板に配置されてもよい。以下、ヒータ２３ｂの長手方向がＺ軸と平行になるようにヒータ２３ｂが背面側放熱板に配置される形態の例として、実施例４を説明する。図１５は、実施例４のヒータおよび背面側放熱板を含む吸着ユニットの要部の概略を示す平面図である。図１６は、実施例４のヒータおよび背面側放熱板を含む吸着ユニットの要部の概略を示す側面図である。
【００８０】
実施例４の吸着ユニット２３Ｃのフィルタ再生部２３ｆＣは、背面側放熱板２３ｃｂＣのＸ軸の正方向側に脱臭フィルタ２３ａが配置され、背面側放熱板２３ｃｂＣのＸ軸の負方向側にヒータ２３ｂが配置される。背面側放熱板２３ｃｂＣは、２つの切り起こし部２３ｃｆＣ−１、２つの切り起こし部２３ｃｆＣ−２、１つの切り起こし部２３ｃｆＣ−３を備えている。また、背面側放熱板２３ｃｂＣは、切り起こし部２３ｃｆＣ−１にそれぞれ対応する抜き穴２３ｃｆＣ１−１、切り起こし部２３ｃｆＣ−２にそれぞれ対応する抜き穴２３ｃｆＣ１−２、切り起こし部２３ｃｆＣ−３に対応する抜き穴２３ｃｆＣ１−３を備えている。背面側放熱板２３ｃｂＣのＸ軸の負方向側の所定のヒータ配置面には、ヒータ２３ｂがＺ軸と平行に配置されている。
【００８１】
切り起こし部２３ｃｆＣ−１は、背面側放熱板２３ｃｂＣに形成されたＵ字状の切り込み部分（スリット）の両端を結ぶＺ軸と平行な背面側放熱板２３ｃｂＣ上の線分を切り曲げの軸として、Ｕ字状の切り込み部分により形成された切り残し部分を、背面側放熱板２３ｃｂＣに対して略垂直になるように、Ｘ軸の負方向へ折り曲げたものである。このＵ字状の切り込み部分は、Ｙ軸の負方向を上側としＹ軸の正方向を下側とするＵ字状となるように背面側放熱板２３ｃｂＣ上に形成されたものである。
【００８２】
また、切り起こし部２３ｃｆＣ−２は、背面側放熱板２３ｃｂＣに形成されたＵ字状の切り込み部分（スリット）の両端を結ぶＺ軸と平行な背面側放熱板２３ｃｂＣ上の線分を切り曲げの軸として、Ｕ字状の切り込み部分により形成された切り残し部分を、背面側放熱板２３ｃｂＣに対して略垂直になるように、Ｘ軸の負方向へ折り曲げたものである。このＵ字状の切り込み部分は、Ｙ軸の正方向を上側としＹ軸の負方向を下側とするＵ字状となるように背面側放熱板２３ｃｂＣ上に形成されたものである。
【００８３】
また、切り起こし部２３ｃｆＣ−３は、背面側放熱板２３ｃｂＣに形成されたＵ字状の切り込み部分（スリット）の両端を結ぶＺ軸と平行な背面側放熱板２３ｃｂＣ上の線分を切り曲げの軸として、Ｕ字状の切り込み部分により形成された切り残し部分を、背面側放熱板２３ｃｂＣに対して略垂直になるように、Ｘ軸の負方向へ折り曲げたものである。このＵ字状の切り込み部分は、Ｚ軸の正方向を上側としＺ軸の負方向を下側とするＵ字状となるように背面側放熱板２３ｃｂＣ上に形成されたものである。切り起こし部２３ｃｆＣ−３は、ヒータ２３ｂと当接して、ヒータ２３ｂの重力方向（Ｚ軸の負方向）への移動を規制する。
【００８４】
以上の実施例４では、円板状の脱臭フィルタ２３ａの円板の半径方向に沿って背面側放熱板２３ｃｂＣに配置されたヒータ２３ｂは、切り起こし部２３ｃｆＣ−１，２３ｃｆＣ−２，２３ｃｆＣ−３により背面側放熱板２３ｃｂＣに固定され、背面側放熱板２３ｃｂＣに対する移動が規制される。これにより、実施例４によれば、ヒータ２３ｂが、円板状の脱臭フィルタ２３ａの円板の半径方向に沿って背面側放熱板２３ｃｂＣに配置される場合にも、背面側放熱板２３ｃｂＣに対するヒータ２３ｂの移動を規制して位置決めするための別部品を要しないので、脱臭ユニットの部品点数を削減し、空気清浄機の組み立て工数を削減することができる。また、実施例４によれば、ヒータ２３ｂが、円板状の脱臭フィルタ２３ａの円板の半径方向に沿って背面側放熱板２３ｃｂＣに配置されることにより、ヒータ２３ｂから背面側放熱板２３ｃｂＣへ均一に熱伝導させることができる。
【００８５】
以上、実施例を説明したが、上述した内容により本願が開示する技術が限定されるものではない。また、上述した構成要素には、当業者が容易に想定できるもの、実質的に同一のもの、いわゆる均等の範囲のものが含まれる。さらに、上述した構成要素は適宜組み合わせることが可能である。さらに、実施形態の要旨を逸脱しない範囲で構成要素の種々の省略、置換および変更のうち少なくとも１つを行うことができる。
【符号の説明】
【００８６】
１：空気清浄機
２２：集塵ユニット
２３：脱臭ユニット
２３ａ：脱臭フィルタ
２３ａｃ：外周部フィルタカバー
２３ｂ：ヒータ
２３ｅ：ケース
２３ｃ：放熱板
２３ｃａ：前面側放熱板（第１放熱板）
２３ｃｂ、２３ｃｂＡ、２３ｃｂＢ、２３ｃｂＣ：背面側放熱板（第２放熱板）
２３ｃｂ１：ヒータ配置面
２３ｃａｂ、２３ｃｂｂ：カバー対向面
２３ｆ、２３ｆＡ、２３ｆＢ、２３ｆＣ：フィルタ再生部
２３ｃｆ、２３ｃｇ、２３ｃｆＡ、２３ｃｆＢ−１、２３ｃｆＢ−２、２３ｃｆＣ−１、２３ｃｆＣ−２、２３ｃｆＣ−３：切り起こし部
２３ｃｆ１、２３ｃｇ１、２３ｃｆＡ１、２３ｃｆＢ１−１、２３ｃｆＢ１−２、２３ｃｆＣ１−１、２３ｃｆＣ１−２、２３ｃｆＣ１−３：抜き穴
３４：歯車部
５３：駆動部
【図１】
2019166480.tif 000003
【図２】
2019166480.tif 000004
【図３】
2019166480.tif 000005
【図４】
2019166480.tif 000006
【図５】
2019166480.tif 000007
【図６】
2019166480.tif 000008
【図７Ａ】
2019166480.tif 000009
【図７Ｂ】
2019166480.tif 000010
【図７Ｃ】
2019166480.tif 000011
【図８】
2019166480.tif 000012
【図９】
2019166480.tif 000013
【図１０】
2019166480.tif 000014
【図１１】
2019166480.tif 000015
【図１２】
2019166480.tif 000016
【図１３】
2019166480.tif 000017
【図１４】
2019166480.tif 000018
【図１５】
2019166480.tif 000019
【図１６】
2019166480.tif 000020